(57)【要約】【課題】狭いスペースに設置した場合でも、撮影部の受像部と被写体人物との間の距離を過度に短くする必要はない。【解決手段】撮影装置１０は筐体１１と、筐体１１上に設けられた操作モニタ２０と、筐体１１上に設けられ、受像部１３ａを有する撮影部１３および照明部１２とを備えている。操作モニタ２０は平面上筐体１１の前方縁１１ａ側を向き、撮影部１３および照明部１２は平面上操作モニタ２０に対して９０°異なる方向の側縁１１ｃ側を向く。操作員２は筐体１１の前方縁１１ａ側に立ち、被写体人物１は筐体の側縁１１ｄ側に立つ。【選択図】図１
2015014766.tif 000002
【特許請求の範囲】
【請求項１】
筐体と、
筐体上に設けられ、平面上筐体の一側を向く操作モニタと、
筐体上に設けられ、平面上操作モニタに対して異なる方向を向く受像部と、
筐体上に設けられ、平面上受像部と同一方向を向く照明部と、
受像部を介して受像した画像を撮影する撮影カメラとを備えたことを特徴とする撮影装置。
【請求項２】
受像部および照明部は操作モニタに対して、平面上９０°異なる方向を向くことを特徴とする請求項１記載の撮影装置。
【請求項３】
受像部および照明部は、筐体上で平面上その向きが可変となることを特徴とする請求項１または２記載の撮影装置。
【請求項４】
照明部は一対の支柱により筐体の上面に支持され、筐体の上面に支柱の差込開口が形成されていることを特徴とする請求項３記載の撮影装置。
【請求項５】
筐体の上面は操作モニタ側の前方縁と、操作モニタと反対側の後方縁と、一対の側縁とを有する矩形状をなし、筐体の上面のうち、少なくとも後方縁の両端を含む３つの隅部に差込開口が形成されていることを特徴とする請求項４記載の撮影装置。
【請求項６】
筐体の上面の４つの隅部に差込開口が形成されていることを特徴とする請求項４記載の撮影装置。
【請求項７】
操作モニタは筐体上に平面上可変に載置されていることを特徴とする請求項１または２記載の撮影装置。
【請求項８】
操作モニタは、画像表示部と操作表示部とを有するタッチパネル機能をもつ操作モニタからなり、
操作モニタ上で操作モニタの画像表示部と操作表示部は、平面上その向きが可変となることを特徴とする請求項１または２記載の撮影装置。
【請求項９】
受像部および照明部は筐体の上面に、回動自在に取付けられていることを特徴とする請求項３記載の撮影装置。
【請求項１０】
受像部および照明部は筐体の上面に、共通の回動軸を介して回動自在に取付けられていることを特徴とする請求項９記載の撮影装置。
【請求項１１】
受像部および照明部は筐体の上面に設けられた支持棚に、回動自在に取付けられていることを特徴とする請求項３記載の撮影装置。
【発明の詳細な説明】
【技術分野】
【０００１】
本発明は、撮影装置に係り、特に、個人識別用の証明写真を撮影する撮影装置に関する。
【背景技術】
【０００２】
個人識別用の証明写真を撮影する撮影装置は、免許証や社員証などの個人識別媒体に一体に印刷される所有者の顔写真を撮影する。
【０００３】
このような撮影装置は、筐体と、筐体上に設けられ筐体の前方を向く操作モニタと、筐体上に設けられ筐体の後方を向く受像部および照明部とを有している。
【０００４】
撮影装置を操作する場合、被写体となる人物が筐体の後方に座り、筐体の前方に操作員が立って操作している。
【０００５】
しかしながら被写体の人物の後側には、更に背景板を設置する必要があり、操作員と筐体と被写体となる人物を結ぶ方向に沿って大きなスペースが必要となる。
【０００６】
このような場合、筐体と被写体となる人物との間を接近させ、撮影カメラの焦点距離を短くすることも考えられているが、レンズの歪みが増大したり、照明部の照明角度が変化するため、撮影画像の画質が低下してしまう。
【先行技術文献】
【特許文献】
【０００７】
【特許文献１】特開２００９−２０５１７３号公報
【発明の開示】
【発明が解決しようとする課題】
【０００８】
本発明はこのような点を考慮してなされたものであり、狭い設置スペースに設置した場合でも撮影画像の画質が低下することのない撮影装置を提供することを目的とする。
【課題を解決するための手段】
【０００９】
本発明は、筐体と、筐体上に設けられ、平面上筐体の一側を向く操作モニタと、筐体上に設けられ、平面上操作モニタに対して異なる方向を向く受像部と、筐体上に設けられ、平面上受像部と同一方向を向く照明部と、受像部を介して受像した画像を撮影する撮影カメラとを備えたことを特徴とする撮影装置である。
【００１０】
本発明は、受像部および照明部は操作モニタに対して、平面上９０°異なる方向を向くことを特徴とする撮影装置である。
【００１１】
本発明は、受像部および照明部は、筐体上で平面上その向きが可変となることを特徴とする撮影装置である。
【００１２】
本発明は、照明部は一対の支柱により筐体の上面に支持され、筐体の上面に支柱の差込開口が形成されていることを特徴とする撮影装置である。
【００１３】
本発明は、筐体の上面は操作モニタ側の前方縁と、操作モニタと反対側の後方縁と、一対の側縁とを有する矩形状をなし、筐体の上面のうち、少なくとも後方縁の両端を含む３つの隅部に差込開口が形成されていることを特徴とする撮影装置である。
【００１４】
本発明は、筐体の上面の４つの隅部に差込開口が形成されていることを特徴とする撮影装置である。
【００１５】
本発明は、操作モニタは筐体上に平面上可変に載置されていることを特徴とする撮影装置である。
【００１６】
本発明は、操作モニタは、画像表示部と操作表示部とを有するタッチパネル機能をもつ操作モニタからなり、操作モニタ上で操作モニタの画像表示部と操作表示部は、平面上その向きが可変となることを特徴とする撮影装置である。
【００１７】
本発明は、受像部および照明部は筐体の上面に、回動自在に取付けられていることを特徴とする撮影装置である。
【００１８】
本発明は、受像部および照明部は筐体の上面に、共通の回動軸を介して回動自在に取付けられていることを特徴とする撮影装置である。
【００１９】
本発明は、受像部および照明部は筐体の上面に設けられた支持棚に、回動自在に取付けられていることを特徴とする撮影装置である。
【発明の効果】
【００２０】
以上のように本発明によれば、撮影装置を狭いスペースに設置した場合でも、撮影部の受像部と被写体人物との間の距離を過度に短くする必要はなく、撮影画像の画質が低下することはない。
【図面の簡単な説明】
【００２１】
【図１】本発明による撮影装置の第１の実施の形態を示す平面図。
【図２】本発明による撮影装置の第１の実施の形態を示す斜視図。
【図３】本発明による撮影装置の比較例を示す平面図。
【図４】本発明による撮影装置の比較例を示す斜視図。
【図５】本発明による撮影装置の第２の実施の形態を示す平面図。
【図６】本発明による撮影装置の比較例を示す平面図。
【図７】本発明による撮影装置の第３の実施の形態を示す平面図。
【図８】本発明による撮影装置の比較例を示す平面図。
【図９】本発明による撮影装置の第４の実施の形態を示す斜視図。
【図１０】本発明による撮影装置の第４の実施の形態の変形例を示す斜視図。
【発明の実施の形態】
【００２２】
第１の実施の形態
以下、本発明の撮影装置の第１の実施の形態について図面を参照して説明する。撮影装置は、個人識別用の証明写真を撮影するものであって、免許証や社員証などの個人識別媒体に一体に印刷される被写体人物の顔写真を撮影する。
【００２３】
図１および図２に示すように、撮影装置１０は、筐体１１と、筐体１１の上面１１Ａに設けられ平面上筐体１１の操作員２側（一側）を向く操作モニタ２０と、筐体１１の上面１１Ａに設けられ、平面上操作モニタ２０に対して異なる方向、例えば９０°異なる方向を向く受像部（窓部）１３ａを有する撮影部１３と、筐体１１上に設けられ平面上撮影部１３の受像部１３ａと同一方向を向く照明部１２とを備えている。
【００２４】
ここで図１は撮影装置１０を示す斜視図であり、図２は撮影装置１０を示す平面図である。
【００２５】
また筐体１１は上面１１Ａを有し、この上面１１Ａは操作モニタ２０側（操作員２側）の前方縁１１ａと、操作モニタ２０と反対側の後方縁１１ｂと、一対の側縁１１ｃ、１１ｄとを有する矩形状、例えば正方形状をもつ。
【００２６】
図１および図２において、操作員２は筐体１１の前方縁１１ａ側に立ち、被写体人物１は筐体１１の側縁１１ｄ側に座る。また被写体人物１の後方（図１の右側）には、背景板５が設置されている。
【００２７】
このように、筐体１１の上面１１Ａに設けられた操作モニタ２０は、平面上筐体１１の前方縁１１ａ側を向き、筐体１１上に設けられた撮影部１３の受像部１３ａおよび照明部１２は平面上、操作モニタ２０とは９０°異なる方向、すなわち筐体１１の側縁１１ｄ側を向く。このため筐体１１の前方縁１１ａ側に立つ操作員２によって操作モニタ２０を容易に操作することができ、筐体１１の側縁１１ｄ側に座る被写体人物１を照明部１２により照明することができ、かつ照明部１２により照らされた被写体人物１を撮影部１３の受像部１３ａにより確実に受像することができる。
【００２８】
なお撮影部１３内には、受像部１３ａにより受像された画像を撮影して画像データを生成するＣＣＤカメラ（撮影カメラ）１４が内蔵されている。
【００２９】
また操作モニタ２０は、被写体人物２の顔画像を表示する画像表示部２１と、操作表示部２２とを有するタッチパネル機能をもつ操作モニタとなっており、画像表示部２１に被写体人物２の顔画像を表示しながら、操作表示部２２をタッチすることにより撮影装置１０の操作を行なうことができる。
【００３０】
さらに筐体１１の上面１１Ａ上には、操作モニタ２０の右側に一対の押ボタン２３が設けられている。一対の押ボタン２３の一方は撮影開始押ボタンであり、他方は撮影終了押ボタンとなっている。
【００３１】
次に照明部１２および撮影部１３について説明する。図１および図２に示すように照明部１２は被写体人物１に対して照明光を照射する照射面１２ａを有し、照明部１２は下端両側に取付けられた一対の支柱１６、１６により支持されている。
【００３２】
また各支柱１６、１６は矩形状の断面をもち、正方形状をもつ筐体１１の上面１１Ａの４隅に差込開口１５が形成されている。
【００３３】
本実施の形態において、一対の支柱１６、１６が筐体１１の上面１１Ａのうち、側縁１１ｄの両端部に形成された差込開口１５内に差込まれて、照明部１２が筐体１１の上面１１Ａのうち一方の側縁１１ｄ側を向くようになっている。
【００３４】
また撮影部１３は、筐体１１の上面１１Ａ上に、平面上その向きが可変となるよう設置されている。
【００３５】
次にこのような構成からなる本実施の形態の作用について説明する。
【００３６】
まず図１および図２に示すように、筐体１１の上面１１Ａのうち前方縁１１ａ側に操作員２が立つ。次に筐体１１の上面１１Ａのうち側縁１１ｄ側に被写体人物１が座る。
【００３７】
操作員２は、次に筐体１１の上面１１Ａに設けられた撮影開始押ボタン２３を押圧して、照明部１２の照射面１２ａにより被写体人物１を照射する。このとき被写体人物１の画像が撮影部１３の受像部１３ａを介して受像され、受像部１３ａにより受像された被写体人物１の画像は撮影カメラ１４により撮影されて画像データが生成される。撮影カメラ１４により生成された画像データは、操作モニタ２０に送られ、操作モニタ２０の画像表示部２１に画像が表示される。
【００３８】
次に操作員２が操作表示部２２のキーをタッチしながら画像表示部２１に表示された画像に対し、その位置調整、明度調整、トリミング等の加工、編集処理を行なう。
【００３９】
このように操作表示部２２のキーをタッチしながら画像に対する加工、編集処理を行なった後、操作員２は撮影終了ボタン２３を押圧し、被写体人物１に対する撮影が終了する。
【００４０】
その後撮影装置１０により得られ加工、編集処理された画像データはプリンタへ送られ、このプリンタにより媒体上に顔画像が印字される。
【００４１】
この間、操作員２が筐体１１の前方縁１１ａ側に立ち、被写体人物１が筐体１１の側縁１１ｄ側に座ることになり、筐体１１を間に挟んで操作員２と被写体人物１が平面上９０°異なる方向に位置することになる。
【００４２】
このため撮影装置１０と操作員２と被写体人物１が占める領域をコンパクトにすることができ、このため被写体人物１と撮影部１３の受像部１３ａとの間の距離を極端に短くする必要はなく、撮影部１３の撮影カメラ１４により得られる画像データの画質が低下することもない。
【００４３】
次に本実施の形態の比較例について図３および図４により示す。図３および図４に示す比較例において、筐体１１の上面１１Ａ上で操作モニタ２０が筐体１１の前方縁１１ａ側を向き、撮影部１３の受像部１３ａおよび照明部１２が操作モニタ２０と反対側の筐体１１の後方縁１１ｂ側を向く場合、操作員２は筐体１１の前方縁１１ａ側に立ち、被写体人物１は筐体１１の後方縁１１ｂ側に座ることになる。
【００４４】
この場合は操作員２と、撮影装置１０と、被写体人物１とが直線上に並ぶことになり、操作員２と、撮影装置１０と、被写体人物１が占める領域は縦長の領域となり、全体としての領域をコンパクトにすることはむずかしい。このため撮影部１３の受像部１３ａと被写体人物１との間の距離を短くする必要があり、画像データの画質が低下することも考えられる。
【００４５】
これに対して本実施の形態によれば、撮影装置１０と、操作員２と、被写体人物１の占める領域をコンパクトにすることができ、被写体人物１と撮影部１３の受像部１３ａとの間の距離を短くする必要がなく、画像データの画質の悪化を防ぐことができる。
【００４６】
なお上記実施の形態において、撮影部１３が受像部１３ａを有するとともに、撮影部１３内に撮影カメラ１４を内蔵した例を示したが、これに限らず撮影カメラ１４を筐体１１内に配置し、撮影部１３の受像部１３ａで受信した画像を筐体１１内の撮影カメラ１４までミラーで導き、この撮影カメラ１４により撮影してもよい。
【００４７】
また、設置スペースにゆとりがある場合、筐体１１の上面１１Ａの差込開口１５から照明部１２の一対の支柱１６を引き抜き、一対の支柱１６を筐体１１の上面１１Ａの後方縁１１ｂの両側に設けられた差込開口１５内に差込み、照明部１２を筐体１１の後方縁１１ｂ側に向けて使用することができる（図３および図４参照）。この場合は、筐体１１の上面１１Ａ上において、撮影部１３もその受像部１３ａが筐体１１の後方縁１１ｂ側を向くよう配置する。
【００４８】
第２の実施の形態
次に図５および図６により本発明の第２の実施の形態について説明する。
【００４９】
図５および図６に示す第２の実施の形態において、図１乃至図４に示す第１の実施の形態と同一部分には同一符号を付して詳細な説明は省略する。
【００５０】
図５に示すように、撮影装置１０は、筐体１１と、筐体１１の上面１１Ａに設けられ平面上筐体１１の操作員２側（一側）を向く操作モニタ２０と、筐体１１の上面１１Ａに設けられ、平面上操作モニタ２０に対して異なる方向、例えば９０°異なる方向を向く受像部（窓部）１３ａを有する撮影部１３と、筐体１１上に設けられ平面上撮影部１３の受像部１３ａと同一方向を向く照明部１２とを備えている。
【００５１】
ここで図５は撮影装置１０を示す平面図である。
【００５２】
また筐体１１は上面１１Ａを有し、この上面１１Ａは操作モニタ２０側（操作員２側）の前方縁１１ａと、操作モニタ２０と反対側の後方縁１１ｂと、一対の側縁１１ｃ、１１ｄとを有する矩形状、例えば正方形状をもつ。
【００５３】
図５において、操作員２は筐体１１の前方縁１１ａ側に立ち、被写体人物１は筐体１１の側縁１１ｃ側に座る。また被写体人物１の後方（図５の左側）には、背景板５が設置されている。
【００５４】
このように、筐体１１の上面１１Ａに設けられた操作モニタ２０は、平面上筐体１１の前方縁１１ａ側を向き、筐体１１上に設けられた撮影部１３の受像部１３ａおよび照明部１２は平面上、操作モニタ２０とは９０°異なる方向、すなわち筐体１１の側縁１１ｃ側を向く。このため筐体１１の前方縁１１ａ側に立つ操作員２によって操作モニタ２０を容易に操作することができ、筐体１１の側縁１１ｃ側に座る被写体人物１を照明部１２により照明することができ、かつ照明部１２により照らされた被写体人物１を撮影部１３の受像部１３ａにより確実に受像することができる。
【００５５】
なお撮影部１３内には、受像部１３ａにより受像された画像を撮影して画像データを生成するＣＣＤカメラ（撮影カメラ）１４が内蔵されている。
【００５６】
また操作モニタ２０は、被写体人物１の顔画像を表示する画像表示部２１と、操作表示部２２とを有するタッチパネル機能をもつ操作モニタとなっており、画像表示部２１に被写体人物２の顔画像を表示しながら、操作表示部２２をタッチすることにより撮影装置１０の操作を行なうことができる。
【００５７】
さらに筐体１１の上面１１Ａには、操作モニタ２０内部の右側に一対の押ボタン２３が設けられている。一対の押ボタン２３の一方は撮影開始押ボタンであり、他方は撮影終了押ボタンとなっている。
【００５８】
次に照明部１２および撮影部１３について説明する。図５に示すように照明部１２は被写体人物１に対して照明光を照射する照射面１２ａを有し、照明部１２は下端両側に取付けられた一対の支柱１６、１６により支持されている（図１および図２参照）。
【００５９】
また各支柱１６、１６は矩形状の断面をもち、正方形状をもつ筐体１１の上面１１Ａの側縁１１ｃ両端部に、差込開口１５が形成されている。
【００６０】
本実施の形態において、一対の支柱１６、１６が筐体１１の上面１１Ａのうち、側縁１１ｃの両端部に形成された差込開口１５内に差込まれて、照明部１２が筐体１１の上面１１Ａのうち側縁１１ｃ側を向くようになっている。
【００６１】
また操作モニタ２０は、筐体１１の上面１１Ａ上に、平面上その向きが可変となるよう設置されている。
【００６２】
次にこのような構成からなる本実施の形態の作用について説明する。
【００６３】
まず図５に示すように、筐体１１の上面１１Ａのうち前方縁１１ａ側に操作員２が立つ。次に筐体１１の上面１１Ａのうち側縁１１ｃ側に被写体人物１が座る。
【００６４】
操作員２は、次に操作モニタ２０に設けられた撮影開始押ボタン２３を押圧して照明部１２の照射面１２ａにより被写体人物１を照射する。このとき被写体人物１の画像が撮影部１３の受像部１３ａを介して受像され、受像部１３ａにより受像された被写体人物１の画像は撮影カメラ１４により撮影されて画像データが生成される。撮影カメラ１４により生成された画像データは、操作モニタ２０に送られ、操作モニタ２０の画像表示部２１に画像が表示される。
【００６５】
次に操作員２が操作表示部２２のキーをタッチしながら画像表示部２１に表示された画像に対し、その位置調整、明度調整、トリミング等の加工、編集処理を行なう。
【００６６】
このように操作表示部２２のキーをタッチしながら画像に対する加工、編集処理を行なった後、操作員２は撮影終了ボタン２３を押圧し、被写体人物１に対する撮影が終了する。
【００６７】
その後撮影装置１０により得られ加工、編集処理された画像データはプリンタへ送られ、このプリンタにより媒体上に顔画像が印字される。
【００６８】
この間、操作員２が筐体１１の前方縁１１ａ側に立ち、被写体人物１が筐体１１の側縁１１ｃ側に座ることになり、筐体１１を間に挟んで操作員２と被写体人物１が平面上９０°異なる方向に位置することになる。
【００６９】
このため撮影装置１０と操作員２と被写体人物１が占める領域をコンパクトにすることができ、このため被写体人物１と撮影部１３の受像部１３ａとの間の距離を極端に短くする必要はなく、撮影部１３の撮影カメラ１４により得られる画像データの画質が低下することもない。
【００７０】
次に本実施の形態の比較例について図６により示す。図６に示す比較例において、筐体１１の上面１１Ａ上で操作モニタ２０と、撮影部１３の受像部１３ａおよび照明部１２が筐体１１上で互いに反対側を向く場合、操作員２と、被写体人物１も筐体１１を挟んで反対側に位置する。
【００７１】
この場合は操作員２と、撮影装置１０と、被写体人物１とが直線上に並ぶことになり、操作員２と、撮影装置１０と、被写体人物１が占める領域は縦長の領域となり、全体としての領域をコンパクトにすることはむずかしい。このため撮影部１３の受像部１３ａと被写体人物１との間の距離を短くする必要があり、画像データの画質が低下することも考えられる。
【００７２】
これに対して本実施の形態によれば、撮影装置１０と、操作員２と、被写体人物１の占める領域をコンパクトにすることができ、被写体人物１と撮影部１３の受像部１３ａとの間の距離を短くする必要がなく、画像データの画質の悪化を防ぐことができる。
【００７３】
なお上記実施の形態において、撮影部１３が受像部１３ａを有するとともに、撮影部１３内に撮影カメラ１４を内蔵した例を示したが、これに限らず撮影カメラ１４を筐体１１内に配置し、撮影部１３の受像部１３ａで受信した画像を筐体１１内の撮影カメラ１４までミラーで導き、この撮影カメラ１４により撮影してもよい。
【００７４】
また、設置スペースにゆとりがある場合、筐体１１の上面１１Ａ上で操作モニタ２０を９０°回転させて使用することができる（図６参照）。この場合は操作員２と、撮影装置１０と、被写体人物１とが一直線上に並ぶことになる（図６参照）。
【００７５】
第３の実施の形態
次に図７および図８により本発明の第３の実施の形態について説明する。
【００７６】
図７および図８に示す第３の実施の形態において、図１乃至図４に示す第１の実施の形態と同一部分には同一符号を付して詳細な説明は省略する。
【００７７】
図７に示すように、撮影装置１０は、筐体１１と、筐体１１の上面１１Ａに設けられ平面上筐体１１の操作員２側（一側）を向く操作モニタ２０と、筐体１１の上面１１Ａに設けられ、平面上操作モニタ２０に対して異なる方向、例えば９０°異なる方向を向く受像部（窓部）１３ａを有する撮影部１３と、筐体１１上に設けられ平面上撮影部１３の受像部１３ａと同一方向を向く照明部１２とを備えている。
【００７８】
ここで図７は撮影装置１０を示す平面図である。
【００７９】
また筐体１１は上面１１Ａを有し、この上面１１Ａは操作モニタ２０側（操作員２側）の前方縁１１ａと、操作モニタ２０と反対側の後方縁１１ｂと、一対の側縁１１ｃ、１１ｄとを有する矩形状、例えば正方形状をもつ。
【００８０】
図７において、操作員２は筐体１１の前方縁１１ａ側に立ち、被写体人物１は筐体１１の側縁１１ｃ側に座る。また被写体人物１の後方（図７の左側）には、背景板５が設置されている。
【００８１】
このように、筐体１１の上面１１Ａに設けられた操作モニタ２０は、筐体１１の前方縁１１ａ側を向き、筐体１１上に設けられた撮影部１３の受像部１３ａおよび照明部１２は平面上、操作モニタ２０とは９０°異なる方向、すなわち筐体１１の側縁１１ｃ側を向く。このため筐体１１の前方縁１１ａ側に立つ操作員２によって操作モニタ２０を容易に操作することができ、筐体１１の側縁１１ｃ側に座る被写体人物１を照明部１２により照明することができ、かつ照明部１２により照らされた被写体人物１を撮影部１３の受像部１３ａにより確実に受像することができる。
【００８２】
なお撮影部１３内には、受像部１３ａにより受像された画像を撮影して画像データを生成するＣＣＤカメラ（撮影カメラ）１４が内蔵されている。
【００８３】
また操作モニタ２０は、被写体人物２の顔画像を表示する画像表示部２１と、操作表示部２２と、押ボタン表示部２３ａとを有するタッチパネル機能をもつ操作モニタとなっており、画像表示部２１に被写体人物２の顔画像を表示しながら、操作表示部２２をタッチすることにより撮影装置１０の操作を行なうことができる。
【００８４】
なお、一対の押ボタン表示部２３ａの一方は撮影開始押ボタンであり、他方は撮影終了押ボタンとなっている。
【００８５】
次に照明部１２および撮影部１３について説明する。図７に示すように照明部１２は被写体人物１に対して照明光を照射する照射面１２ａを有し、照明部１２は下端両側に取付けられた一対の支柱１６、１６により支持されている（図１および図２参照）。
【００８６】
また各支柱１６、１６は矩形状の断面をもち、正方形状をもつ筐体１１の上面１１Ａの側縁１１ｃ両端部に、差込開口１５が形成されている。
【００８７】
本実施の形態において、一対の支柱１６、１６が筐体１１の上面１１Ａのうち、側縁１１ｃの両端部に形成された差込開口１５内に差込まれて、照明部１２が筐体１１の上面１１Ａのうち側縁１１ｃ側を向くようになっている。
【００８８】
また操作モニタ２０は、筐体１１の上面１１Ａ上に固定されており、操作モニタ２０内の画像表示部２１、操作表示部２２および押ボタン画像２３ａは、いずれも操作モニタ２０内においてその向きが９０°変化することができる。
【００８９】
次にこのような構成からなる本実施の形態の作用について説明する。
【００９０】
まず図７に示すように、筐体１１の上面１１Ａのうち前方縁１１ａ側に操作員２が立つ。次に筐体１１の上面１１Ａのうち側縁１１ｃ側に被写体人物１が座る。
【００９１】
操作員２は、次に操作モニタ２０内の撮影開始押ボタン画像２３ａを押圧して照明部１２の照射面１２ａにより被写体人物１を照射する。このとき被写体人物１の画像が撮影部１３の受像部１３ａを介して受像され、受像部１３ａにより受像された被写体人物１の画像は撮影カメラ１４により撮影されて画像データが生成される。撮影カメラ１４により生成された画像データは、操作モニタ２０に送られ、操作モニタ２０の画像表示部２１に画像が表示される。
【００９２】
次に操作員２が操作表示部２２のキーをタッチしながら画像表示部２１に表示された画像に対し、その位置調整、明度調整、トリミング等の加工、編集処理を行なう。
【００９３】
このように操作表示部２２のキーをタッチしながら画像に対する加工、編集処理を行なった後、操作員２は撮影終了ボタン画像２３ａを押圧し、被写体人物１に対する撮影が終了する。
【００９４】
その後撮影装置１０により得られ加工、編集処理された画像データはプリンタへ送られ、このプリンタにより媒体上に顔画像が印字される。
【００９５】
この間、操作員２が筐体１１の前方縁１１ａ側に立ち、被写体人物１が筐体１１の側縁１１ｃ側に座ることになり、筐体１１を間に挟んで操作員２と被写体人物１が平面上９０°異なる方向に位置することになる。
【００９６】
このため撮影装置１０と操作員２と被写体人物１が占める領域をコンパクトにすることができ、このため被写体人物１と撮影部１３の受像部１３ａとの間の距離を極端に短くする必要はなく、撮影部１３の撮影カメラ１４により得られる画像データの画質が低下することもない。
【００９７】
次に本実施の形態の比較例について図８により示す。図８に示す比較例において、筐体１１の上面１１Ａ上で操作モニタ２０と、撮影部１３の受像部１３ａおよび照明部１２が筐体１１上で互いに反対側を向く場合、操作員２と、被写体人物１も筐体１１を挟んで反対側に位置する。
【００９８】
この場合は操作員２と、撮影装置１０と、被写体人物１とが直線上に並ぶことになり、操作員２と、撮影装置１０と、被写体人物１が占める領域は縦長の領域となり、全体としての領域をコンパクトにすることはむずかしい。このため撮影部１３の受像部１３ａと被写体人物１との間の距離を短くする必要があり、画像データの画質が低下することも考えられる。
【００９９】
これに対して本実施の形態によれば、撮影装置１０と、操作員２と、被写体人物１の占める領域をコンパクトにすることができ、被写体人物１と撮影部１３の受像部１３ａとの間の距離を短くする必要がなく、画像データの画質の悪化を防ぐことができる。
【０１００】
なお上記実施の形態において、撮影部１３が受像部１３ａを有するとともに、撮影部１３内に撮影カメラ１４を内蔵した例を示したが、これに限らず撮影カメラ１４を筐体１１内に配置し、撮影部１３の受像部１３ａで受信した画像を筐体１１内の撮影カメラ１４までミラーで導き、この撮影カメラ１４により撮影してもよい。
【０１０１】
また、設置スペースにゆとりがある場合、操作モニタ２０の画像表示部２１、操作表示部２２および押ボタン表示部２３ａの画面を９０°回転させて使用することができる（図８参照）。この場合は操作員２と、撮影装置１０と、被写体人物１とが一直線上に並ぶことになる（図６参照）。
【０１０２】
第４の実施の形態
次に図９により本発明の第４の実施の形態について説明する。
【０１０３】
図９に示す第４の実施の形態において、図１乃至図４に示す第１の実施の形態と同一部分には同一符号を付して詳細な説明は省略する。
【０１０４】
図９に示すように、撮影装置１０は、筐体１１と、筐体１１の上面１１Ａに設けられ平面上筐体１１の操作員２側（一側）を向く操作モニタ２０と、筐体１１の上面１１Ａに設けられ、平面上操作モニタ２０に対して異なる方向、例えば９０°異なる方向を向く受像部（窓部）１３ａを有する撮影部１３と、筐体１１上に設けられ平面上撮影部１３の受像部１３ａと同一方向を向く照明部１２とを備えている。
【０１０５】
ここで図９は撮影装置１０を示す斜視図である。
【０１０６】
また筐体１１は上面１１Ａを有し、この上面１１Ａは操作モニタ２０側（操作員２側）の前方縁１１ａと、操作モニタ２０と反対側の後方縁１１ｂと、一対の側縁１１ｃ、１１ｄとを有する矩形状、例えば正方形状をもつ。
【０１０７】
図９において、操作員２は筐体１１の前方縁１１ａ側に立ち、被写体人物１は筐体１１の側縁１１ｄ側に座る。また被写体人物１の後方（図９の右側）には、背景板５が設置されている。
【０１０８】
このように、筐体１１の上面１１Ａに設けられた操作モニタ２０は、平面上筐体１１の前方縁１１ａ側を向き、筐体１１上に設けられた撮影部１３の受像部１３ａおよび照明部１２は平面上、操作モニタ２０とは９０°異なる方向、すなわち筐体１１の側縁１１ｄ側を向く。このため筐体１１の前方縁１１ａ側に立つ操作員２によって操作モニタ２０を容易に操作することができ、筐体１１の側縁１１ｄ側に座る被写体人物１を照明部１２により照明することができ、かつ照明部１２により照らされた被写体人物１を撮影部１３の受像部１３ａにより確実に受像することができる。
【０１０９】
なお撮影部１３内には、受像部１３ａにより受像された画像を撮影して画像データを生成するＣＣＤカメラ（撮影カメラ）１４が内蔵されている。
【０１１０】
また操作モニタ２０は、被写体人物２の顔画像を表示する画像表示部２１と、操作表示部２２とを有するタッチパネル機能をもつ操作モニタとなっており（図１参照）、画像表示部２１に被写体人物１の顔画像を表示しながら、操作表示部２２をタッチすることにより撮影装置１０の操作を行なうことができる。
【０１１１】
さらに筐体１１の上面１１Ａには、操作モニタ２０の右側に一対の押ボタン２３が設けられている。一対の押ボタン２３の一方は撮影開始押ボタンであり、他方は撮影終了押ボタンとなっている。
【０１１２】
次に照明部１２および撮影部１３について説明する。図９に示すように照明部１２は被写体人物１に対して光を照射する照射面１２ａを有し、照明部１２は一対の支柱１６、１６により支持された支持棚２５上に回動自在に取付けられている。
【０１１３】
また各支柱１６、１６は矩形状の断面をもち、正方形状をもつ筐体１１の上面１１Ａの４隅に差込開口１５が形成されている。
【０１１４】
本実施の形態において、一対の支柱１６、１６が筐体１１の上面１１Ａのうち、後方縁１１ｂの両端部に形成された差込開口１５内に差込まれ、照明部１２が支持棚２５上において側縁１１ｄ側を向くように支持されている。
【０１１５】
また撮影部１３は、筐体１１の上面１１Ａ上に、平面上その向きが可変となるよう設置されている。
【０１１６】
次にこのような構成からなる本実施の形態の作用について説明する。
【０１１７】
まず図９に示すように、筐体１１の上面１１Ａのうち前方縁１１ａ側に操作員２が立つ。次に筐体１１の上面１１Ａのうち側縁１１ｃ側に被写体人物１が座る。
【０１１８】
操作員２は、次に操作モニタ２０に設けられた撮影開始押ボタン２３を押圧して照明部１２の照射面１２ａにより被写体人物１を照射する。このとき被写体人物１の画像が撮影部１３の受像部１３ａを介して受像され、受像部１３ａにより受像された被写体人物１の画像は撮影カメラ１４により撮影されて画像データが生成される。撮影カメラ１４により生成された画像データは、操作モニタ２０に送られ、操作モニタ２０の画像表示部２１に画像が表示される。
【０１１９】
次に操作員２が操作表示部２２のキーをタッチしながら画像表示部２１に表示された画像に対し、その位置調整、明度調整、トリミング等の加工、編集処理を行なう。
【０１２０】
このように操作表示部２２のキーをタッチしながら画像に対する加工、編集処理を行なった後、操作員２は撮影終了ボタン２３を押圧し、被写体人物１に対する撮影が終了する。
【０１２１】
その後撮影装置１０により得られ加工、編集処理された画像データはプリンタへ送られ、このプリンタにより媒体上に顔画像が印字される。
【０１２２】
この間、操作員２が筐体１１の前方縁１１ａ側に立ち、被写体人物１が筐体１１の側縁１１ｄ側に座ることになり、筐体１１を間に挟んで操作員２と被写体人物１が平面上９０°異なる方向に位置することになる。
【０１２３】
このため撮影装置１０と操作員２と被写体人物１が占める領域をコンパクトにすることができ、このため被写体人物１と撮影部１３の受像部１３ａとの間の距離を極端に短くする必要はなく、撮影部１３の撮影カメラ１４により得られる画像データの画質が低下することもない。
【０１２４】
なお上記実施の形態において、撮影部１３が受像部１３ａを有するとともに、撮影部１３内に撮影カメラ１４を内蔵した例を示したが、これに限らず撮影カメラ１４を筐体１１内に配置し、撮影部１３の受像部１３ａで受像した画像を筐体１１内の撮影カメラ１４までミラーで導き、この撮影カメラ１４により撮影してもよい。
【０１２５】
また設置スペースにゆとりがある場合、照明部１２を支持棚２５上で９０°回転させ、筐体１１の後方縁１１ｂ側を向くようにし、撮影部１３を筐体１１の上面１１Ａ上で９０°回転させ、筐体１１の後方縁１１ｂ側を向くようにしてもよい。
【０１２６】
次に図１０により本発明の第４の実施の形態の変形例について説明する。
【０１２７】
図１０に示す変形例は、筐体１１の上面１１Ａ上に共通の回動軸２７を取付け、この回動軸２７を介して撮影部１３を筐体１１の上面１１Ａに回動自在に設け、更に撮影部１３上に回動軸２７を介して照明部１２を回動自在に設けたものである。
【０１２８】
他の構成部分は、図９に示す第４の実施の形態と略同一である。
【０１２９】
図１０に示す変形例において、図９に示す実施の形態と同一部分には同一符号を付して詳細な説明は省略する。
【０１３０】
図１０において、この間、操作員２が筐体１１の前方縁１１ａ側に立ち、被写体人物１が筐体１１の側縁１１ｄ側に座ることになり、筐体１１を間に挟んで操作員２と被写体人物１が平面上９０°異なる方向に位置することになる。
【０１３１】
このため撮影装置１０と操作員２と被写体人物１が占める領域をコンパクトにすることができ、このため被写体人物１と撮影部１３の受像部１３ａとの間の距離を極端に短くする必要はなく、撮影部１３の撮影カメラ１４により得られる画像データの画質が低下することもない。
【符号の説明】
【０１３２】
１０  撮影装置
１１  筐体
１１Ａ  上面
１１ａ  前方縁
１１ｂ  後方縁
１１ｃ、１１ｄ  側縁
１２  照明部
１２ａ  照射面
１３  撮影部
１３ａ  受像部
１４  撮影カメラ
１５  差込開口
１６  支柱
２０  操作モニタ
２１  画像表示部
２２  操作表示部
２３  押ボタン
２３ａ  押ボタン表示部
２５  支持棚
２７  回動軸
【図１】
2015014766.tif 000003
【図２】
2015014766.tif 000004
【図３】
2015014766.tif 000005
【図４】
2015014766.tif 000006
【図５】
2015014766.tif 000007
【図６】
2015014766.tif 000008
【図７】
2015014766.tif 000009
【図８】
2015014766.tif 000010
【図９】
2015014766.tif 000011
【図１０】
2015014766.tif 000012